(57)【要約】【課題】  ゴミを入れたゴミ袋がカラスの被害を受けることなく、又回収作業の便利なゴミ収納袋の提供。【解決手段】  ゴミを収容した複数のゴミ袋６，６・・を収納する為の袋であって、袋本体１の入口には入口筒体２を取付け、袋本体１の底部には開口５を形成すると共に開口には紐４を沿設して取付けることで開閉可能としている。そして上記入口筒体２には袋本体１を折畳んだ状態で、又は丸めた状態で収容することが出来、外へのはみ出しを防止する先端連結具８ａ，８ｂ・・を備えたバンド７ａ，７ｂ・・を取付けている。【選択図】    図１
2005320097.tif 000002
【特許請求の範囲】
【請求項１】
ゴミを収容した複数のゴミ袋等を収納する為の袋であって、袋本体の入口には入口筒体を取付け、袋本体の底部には開口を形成すると共に開口には紐を沿設して取付けることで開閉可能とし、そして上記入口筒体には袋本体を折畳んだ状態で、又は丸めた状態で収容することが出来、外へのはみ出しを防止する先端連結具を備えたバンドを取付け、入口筒体には蓋を着脱可能に設けたことを特徴とするゴミ収納袋。
【請求項２】
上記袋本体の側面には複数の持ち手を取付けた請求項１記載のゴミ収納袋。
【請求項３】
上記底部開口に設けた紐の代わりにチェーンなどの金属製締結材を用いた請求項１、又は請求項２記載のゴミ収納袋。
【発明の詳細な説明】
【技術分野】
【０００１】
本発明はゴミを入れたゴミ袋を収容してカラスの散らかしを防止することが出来ると共に、収集作業が便利なゴミ収納袋に関するものである。
【背景技術】
【０００２】
各家庭から出されるゴミは所定の場所に置かれ、巡回する収集車によって集められる。しかし、出されたゴミは収集車によって回収されるまではそのまま放置され、この放置されたゴミにカラスが群がって周囲に散らかしてしまう。近年ではこの放置されるゴミに群がるカラスが多く、特に都会ではこのカラス対策が問題と成っている。従来から色々な対策が講じられているが、その効果は十分でなく、カラスとの知恵比べが続いている。
【０００３】
従来から使われている最も一般的な方法は図３に示すようなネット(イ)であり、ゴミを収容したゴミ袋(ロ)、(ロ)・・が積まれた山にネット(イ)を被せ、周囲には該ネット(イ)が捲れないように重石(ハ)、(ハ)・・を配置している。しかし、ネット(イ)を被せて重石(ハ)、(ハ)・・を置いた状態では、次にゴミ袋(ロ)を置く際には重石(ハ)、(ハ)・・を取除いてネット(イ)を捲り上げる必要があり、ゴミ袋(ロ)を出す際の面倒な作業となる。従って、ネット(イ)の上にゴミ袋(ロ)を置いてしまうことが多く、ネット(イ)の効果が無くなってしまう。
【０００４】
勿論、カラスは比較的利口である為に、ネット(イ)の周囲に重石(ハ)、(ハ)・・を正しく設置しない場合には、ネット(イ)の縁から侵入してゴミを突いて散らかってしまう。又、袋詰されたゴミ袋(ロ)(ロ)・・は道路の脇や空き地の片隅に置かれるだけである為に、設置場所が大きく成ってしまい、時には邪魔になるといった問題もある。
【０００５】
一方、このようなネット(イ)でなく、金属製のメッシュで構成したボックスも使用されている。該ボックスには正面にドアが取付けられてゴミを収容したゴミ袋を入口から出し入れすることが出来る。このボックスに収納されたゴミ袋はカラスの被害に遭うことはないが、収集車が回収する場合には、ドアを開いて持ち出すことが必要であり、ボックスの奥に置かれたゴミ袋は作業者が入口からボックス内に入らなくてはならず取出すことが出来ず、作業性が悪くなる。
【０００６】
最近では、テグス糸を張設してカラスが近づかないように工夫したものがある。３０ｃｍ間隔で糸を張設するだけである為に費用は安くなるが、ゴミの収集場所に該糸を張設することは出来ない。すなわち、袋詰したゴミを置く際も、又回収する場合も、周囲に糸を張設したのでは邪魔に成ってしまう。
【発明の開示】
【発明が解決しようとする課題】
【０００７】
このように、カラスの被害に遭わないようにゴミを出す方法には上記のごとき問題がある。本発明が解決しようとする課題はこれら問題点であり、カラスの被害を受けることなく、収集場所をとらず、又回収作業も便利なゴミ収納袋を提供する。
【課題を解決するための手段】
【０００８】
本発明に係るゴミの収納袋は、ゴミを収容して家庭から出されるゴミ袋を収納することが出来る適度な大きさと成っている。そして、袋本体の入口には入口筒体が取着され、該入口筒体には持ち手を有している。又入口筒体には蓋が組合されて、蓋を取外してゴミ袋をゴミの収納袋に入れることが出来る。そして、本発明のゴミ収納袋の底は、開閉自在と成っている。底に形成した開口には紐が取付けられ、該紐を調整することで開閉可能と成る。この場合、該紐の代わりにチェーンなどに金属製締結材を使用することもあり、該金属製締結材はゴミ収納袋の重りと成って安定する。
【０００９】
一方、ゴミ収納袋の側面には複数箇所に持ち手が取付けられ、ゴミ袋で一杯に詰まったゴミ収納袋を持ち上げる為に該持ち手を使うことが出来る。また、袋本体は丈夫な生地で構成されているが、折畳まれたり丸めたりして入口筒体内に収容することが出来る。そして収容した袋本体が入口筒体からはみ出さないように、バンドが取付けられている。
【発明の効果】
【００１０】
本発明に係るゴミ収納袋はゴミを収容して家庭から出されるゴミ袋を収納することが出来、カラスの被害から防止出来る。そして、該ゴミ収納袋は入口に入口筒体が取付けられている為に、蓋を取外すことで該入口からゴミ袋を収納することが出来、大きなゴミ収納容器に入れるようものである。そして、ゴミ袋を収納すると共に、入口筒体を持ち上げることで順次入れることが出来る。
【００１１】
そして、ゴミ袋を入れた後は蓋を載せて閉じることが出来、巡回するゴミ収集車に積載する際には、ゴミ収納袋ごと搭載した状態で底部開口に取付けている紐を緩めるならば口が開いて開口可能にすることが出来る。開口可能に成ったところゴミ収納袋を持ち上げるならば、底部の開口から落下して収集車に積載される。従って、従来のようにゴミ袋を１個づつ収集車に積載する必要がなく、ゴミの収集作業は非常に効率的となる。勿論、本発明のゴミ収納袋の使い方は自由であり、必ずしも収集車にゴミ収納袋ごと持ち上げて積載しない場合もある。
【００１２】
一方、袋本体は折畳んだり、丸めた状態で入口筒体に収容され、そしてはみ出さないようにバンドで拘束される。従って、大きな袋本体は入口筒体に収まることで持ち運び、及び保管が便利である。そして、ゴミ収納袋は家庭から出るゴミ袋を収納する場合に限らず、落ち葉など収納することも可能である。
【実施例】
【００１３】
図１は本発明に係るゴミ収納袋を示す実施例である。同図の１は袋本体、２は入口筒体を表し、該入口筒体２は袋本体１の入口に取付けられ、入口筒体２には蓋３が取付けられる。又袋本体１の底は開口可能な状態にあり、その為に紐４が開口の周囲に取付けられている。従って紐４を締めることで底部開口５は閉じ、紐４を緩めることで底部開口５は開かれる。
【００１４】
袋本体１は丈夫な生地で構成され、そして袋本体１内にはゴミを収容した小さな複数個のゴミ袋６，６・・が収納されている。すなわち、蓋３を取外して入口筒体２からゴミ袋６，６・・を収納することが出来、袋本体１は小さなゴミ袋６，６・・で一杯となる。
【００１５】
図２は本発明に係るゴミ収納袋の袋本体１を入口筒体２に収容した状態を示している。すなわち、ゴミ収納袋の使用前の状態を表している。袋本体１は折畳んだ状態又は丸めた状態で入口筒体２に収容することが出来、そして入口筒体２に取付けているバンド７ａ，７ｂ・・によってはみ出さないように拘束される。該バンド７ａ，７ｂ・・は入口筒体２の底部の役目を果たすことが出来る。
【００１６】
バンド７ａ，７ｂ・・の先端には連結具８ａ，８ｂ・・が取付けられていて、袋本体１を入口筒体２に収容した状態でバンド７ａの先端連結具８ａは、バンド７ｂの先端連結具８ｂと互いに連結し、同じくバンド７ｃの先端連結具８ｃはバンド７ｄの先端連結具８ｄと連結することが出来る。従って、収容された袋本体１は入口筒体２からはみ出さないように拘束される。又入口には蓋３が取付けられている為に、入口からはみ出すこともない。このように、袋本体１は入口筒体２に収容されてバンド７ａ，７ｂ・・にて拘束され、又蓋３が取付けられた状態で入口筒体２の持ち手９を持って持ち運びすることが出来る。
【００１７】
ところで、本発明のゴミ収納袋にゴミ袋６，６・・を収納する場合、上記入口筒体２のバンド７ａ，７ｂ・・の先端連結具８ａ，８ｂ・・を解除して袋本体１を外へ引き出し、袋本体１の底部開口に設けている紐を締めて開口を閉じる。そして蓋３を取外して１個づつゴミを中に詰めたゴミ袋６，６・・を入口筒体２から入れる。この場合、ゴミ袋６を入れる度に入口筒体２を持ち上げるならば、ゴミ袋６，６・・は袋本体１の底部へ順次収納される。持ち上げる力は、入口筒体２と袋本体１の一部の重量であり重くはない。
【００１８】
そして、袋本体１は前記図１に示すように一杯となる。ゴミ収集場所には、このようにゴミ収納袋が複数個準備されていて、一杯に成ったところで他のゴミ収納袋を使用することが出来る。
【００１９】
ところで、ゴミ収集車が巡回してゴミ袋を回収する場合、上記図１に示すように一杯になっているゴミ収納袋を持ち上げて収集車に載せる。そして底部開口の紐４を緩め、この状態で再度持ち上げるならば、収納されているゴミ袋６，６・・は底部開口５から落下して収集車に積載される。従来では、小さなゴミ袋６を１〜２個づつ手で持ってゴミ収集車に積載していたが、多数のゴミ袋６，６・・を収納している大きなゴミ収納袋を持ち上げて、一度に積載することが可能である。
【００２０】
この場合、大きな袋本体１に多数のゴミ袋６，６・・が収納されていても、その重さは大きくなく、作業者１〜２人で十分である。袋本体１の側面には持ち手１０，１０・・が取付けられ、作業者はこの持ち手を握って収集車に載せることが出来る。勿論、ゴミ収納袋ごと収集車に持ち上げて載せる場合に限らず、収納されているゴミ袋を半開き状態の底部開口から地面に一旦落とし、これを拾い上げて収集車に積載することも可能であり、カラスの被害を防止する効果は十分である。
【図面の簡単な説明】
【００２１】
【図１】ゴミ袋を収納した本発明に係るゴミ収納袋。
【図２】入口筒体に袋本体を納めた場合。
【図３】ネットを掛けたゴミ袋。
【符号の説明】
【００２２】
１  袋本体
２  入口筒体
３  蓋
４  紐
５  底部開口
６  ゴミ袋
７  バンド
８  連結具
９  持ち手
10  持ち手
【図１】
2005320097.tif 000003
【図２】
2005320097.tif 000004
【図３】
2005320097.tif 000005